(57)【要約】【課題】  従来のリール式のコード巻き取り装置は、巻き取り収納時に、コードが勢いよく巻き戻ってしまい、その際に暴れたコードが目や身体に当ったり、混雑した場所での操作では、近くの人に当たってしまうことがあり危険である。【解決手段】  上下２つの装置外装部、音声信号を音に変換する基板部、巻きバネ、スライドプレートの第一ロック部と当接するようなフック部やコード収納操作時にスライドプレートの第二ロック部に当接してコードの巻き取りスピードを減速させるように設けられているカム部が備えられたリール兼フック部、巻き取り装置の外装部外側に飛び出したスイッチ部・外装部の片側に備え付けられた軸部を案内するための孔部・前記フック部が当接する第一ロック部・コード収納時に巻きバネの収納速度を減速させるために使用する第二ロック部が備えられているスライドプレートを備えたコード巻き取り装置付きイヤホン。【選択図】図１
2014007526.tif 000002
【特許請求の範囲】
【請求項１】
コード巻き取り装置を備えたイヤホンにおいて、コード巻き取り装置を構成する部品として、上下２つの装置外装部、音声信号を音に変換する基板部、巻きバネ、スライドプレートの第一ロック部と当接するようなフック部やコード収納操作時にスライドプレートの第二ロック部に当接してコードの巻き取りスピードを減速させるように設けられているカム部が備えられたリール兼フック部、巻き取り装置の外装部外側に飛び出したスイッチ部・外装部の片側に備え付けられた軸部を案内するための孔部・前記フック部が当接する第一ロック部・コード収納時に巻きバネの収納速度を減速させるために使用する第二ロック部が備えられているスライドプレートを備えたことを特徴とするコード巻き取り装置付きイヤホン。
【請求項２】
前記カム部の形状は、多角形状であることを特徴とする請求項１に記載のコード巻き取り装置付きイヤホン。
【発明の詳細な説明】
【技術分野】
【０００１】
本発明は、ボタンを押すことによってコードを巻き取って収納することができるコード巻き取り装置を設けたイヤホンに関するものである。
【背景技術】
【０００２】
従来からコードの巻き取り装置が付いたイヤホンは、携帯用のオーディオビデオ機器や携帯電話等、様々な機器で使用されている。
従来技術としては、携帯電話機に接続されるジャックコードと、ステレオ対応の一対のイヤホンコードと、前記コードそれぞれを巻き取り／引き出し可能とするリール体と、前記リール体を内蔵する装置本体と、前記装置本体に付設されるマイクと、前記装置本体に付設される聞き取り音量調整用のボリューム体と、を備えてなる携帯電話機用イヤホンマイク装置。（例えば、特許文献１参照）や、スピーカーを内部に収納したハウジングと、前記ハウジングの内部に一端が接続され他端にプラグを有するコードと、前記ハウジングの内部に収納され前記コードを巻き取るコード巻き取り手段と、前記コード巻き取り手段のコード巻き取りを規制する巻き取りロック手段と、前記巻き取りロック手段による規制を解除するロック解除手段と、を備え、前記プラグは、プラグ成型部と、前記プラグ成型部から突出した前記プラグの先端部である電気接続部と、前記プラグ成型部に前記電気接続部より短い長さで突出形成された凸部と、を有し、前記ハウジングは、前記電気接続部と前記凸部とのいずれも挿入可能な孔を有し、前記ロック解除手段は、前記電気接続部または前記凸部が前記孔に挿入された際の少なくとも前記凸部が占める空間に対し前記ハウジングの内部側から進入するロックレバーと、前記ロックレバーを前記空間に進入させるよう付勢する付勢部材と、を有し、前記ロックレバーが、前記電気接続部または前記凸部が挿入された際に、前記電気接続部または前記凸部により押されて前記ハウジングの内方に向け移動して前記電気接続部または前記凸部における前記ハウジングの内方側の側面に当接すると共に、前記ロックレバーが前記側面に当接した状態で前記巻き取りロック手段による規制を解除するよう構成されたコード巻き取り装置付きヘッドホン（例えば、特許文献２参照）が存在している。
【先行技術文献】
【特許文献】
【０００３】
【特許文献１】実用新案登録第３１２６０１２号公報（実用新案登録請求の範囲の欄、考案の詳細な説明の欄、及び図１〜図６を参照）
【特許文献２】特開２００９−５５６４５号公報（特許請求の範囲の欄、発明の詳細な説明の欄、及び図１〜図１８を参照）
【発明の概要】
【発明が解決しようとする課題】
【０００４】
従来からイヤホンは、コンパクトで、取り扱い易いものが望まれている。そこで、収納時に煩雑になり易いコードを収納することの可能なコード巻き取り装置付きのイヤホンが種々発明されてきた。
前記従来技術の実用新案登録第３１２６０１２号に示されたものは、ダブル巻き取り方式のイヤホンを採用している。
このダブル巻き取り方式のイヤホンは、オーディオ機器側に取り付けられるプラグ側と、耳に装着するイヤホン側のそれぞれのコードをコード巻き取り装置から伸ばすことができる構成をしている。そのため、それぞれに伸びるコードを短く、細いものを採用することによって、コンパクト化を実現している。
しかしながら、コードを細くしてしまうために、イヤホンを使用しているうちにコードの配線が断線してしまうという問題が発生している。
また、特開２００９−５５６４５号公報に示されたものは、シングル巻き取り方式を採用したもので、コードを太く長く構成できるが、上記従来技術は、イヤホンより大きな部品で構成されたヘッドホンでのシングル巻き取りの採用であり、ヘッドホンの部分が大きくなってしまい、コンパクト化という面での課題がある。
また、従来のリール式のコード巻き取り装置は、巻き取り収納時に、コードが勢いよく巻き戻ってしまい、その際に暴れたコードが目や身体に当ってしまったり、混雑した場所での操作では、近くの人に当たってしまうことがあり、危険である（図９参照）。
本発明は、上記の問題を解決したシングル巻き取り方式のコード巻き取り装置を備えたイヤホンを提供するものである。
【課題を解決するための手段】
【０００５】
上記の目的を達成することができる本発明の第１発明は、請求項１に記載された通りのコード巻き取り装置付きイヤホンであり、次のようなものである。
コード巻き取り装置を備えたイヤホンにおいて、コード巻き取り装置を構成する部品として、上下２つの装置外装部、音声信号を音に変換する基板部、巻きバネ、スライドプレートの第一ロック部と当接するようなフック部やコード収納操作時にスライドプレートの第二ロック部に当接してコードの巻き取りスピードを減速させるように設けられているカム部が備えられたリール兼フック部、巻き取り装置の外装部外側に飛び出したスイッチ部・外装部の片側に備え付けられた軸部を案内するための孔部・前記フック部が当接する第一ロック部・コード収納時に巻きバネの収納速度を減速させるために使用する第二ロック部が備えられているスライドプレートを備える構成である。
【０００６】
上記の目的を達成することができる本発明の第２発明は、請求項２に記載された通りのコード巻き取り装置付きイヤホンであり、次のようなものである。
請求項１に記載された発明に加えて、前記カム部の形状は、多角形状を採用した構成である。
【発明の効果】
【０００７】
本発明に係るコード巻き取り装置付きイヤホンは、上記説明のような構成を有するので、以下に記載する効果を奏する。
（１）コード巻き取り装置に減速装置を備えることによって、巻き取り装置操作時にイヤホンコードの先端が暴れてしまうのを防ぐことができる。
（２）シングル巻き取り方式を採用することにより、コードの直径を大幅に太くすることができ、過酷な使用環境でのコードの断線不良などを防ぐことができる。
【図面の簡単な説明】
【０００８】
【図１】本発明の一実施例であるコード巻き取り装置付きイヤホンの部品構成を示す要部分解説明図である。
【図２】本発明の一実施例であるコード巻き取り装置付きイヤホンを示す概略断面図である。
【図３】本発明の一実施例であるコード巻き取り装置付きイヤホンのコード引き出し時の部品の動きを説明するものであり、（ａ）はコードを引き出す前の状態を示す概略断面図、（ｂ）はコードを引き出している状態を示す概略断面図である。
【図４】本発明の一実施例であるコード巻き取り装置付きイヤホンのコード収納時の部品の動きを説明するものであり、（ａ）はコードを収納する際の第一工程の状態を示す概略断面図、（ｂ）は第二工程の状態を示す概略断面図である。
【図５】本発明の一実施例であるコード巻き取り装置付きイヤホンのコード引き出し時の部品の動きを説明するものであり、（ａ）はコードを引き出す前の状態を示す概略断面図、（ｂ）はコードを引き出している状態を示す概略断面図である。
【図６】本発明の一実施例であるコード巻き取り装置付きイヤホンのコード収納時の部品の動きを説明するものであり、（ａ）はコードを収納する際の第一工程の状態を示す概略断面図、（ｂ）は第二工程の状態を示す概略断面図である。
【図７】本発明のコード巻き取り装置付きイヤホンの使用状態の一例を示す説明図である。
【図８】従来のコード巻き取り装置付きイヤホンの問題点の一例を示す説明図である。
【図９】従来のコード巻き取り装置付きイヤホンの他の問題点を示す説明図である。
【発明を実施するための形態】
【０００９】
コード巻き取り装置を備えたイヤホンにおいて、コード巻き取り装置を構成する部品として、上下２つの装置外装部、音声信号を音に変換する基板部、巻きバネ、スライドプレートの第一ロック部と当接するようなフック部やコード収納操作時にスライドプレートの第二ロック部に当接してコードの巻き取りスピードを減速させるように設けられているカム部が備えられたリール兼フック部、巻き取り装置の外装部外側に飛び出したスイッチ部・外装部の片側に備え付けられた軸部を案内するための孔部・前記フック部が当接する第一ロック部・コード収納時に巻きバネの収納速度を減速させるために使用する第二ロック部が備えられているスライドプレートを備えたコード巻き取り装置付きイヤホンである。
【実施例】
【００１０】
以下、本発明の一実施例を添付図面で詳細に説明する。
本発明のコード巻き取り装置付きイヤホンは、図１、図２に示すように、イヤホンコード１、２つの外装部２、基板３、リール兼フック部４、スライドプレート５、巻きバネ６によって構成されている。
このリール兼フック部４には、スライドプレート５の第一ロック部７と当接するようなフック部４´が設けられている。また、リール兼フック部４には、カム部９が設けられており、コード収納操作時にスライドプレート５の第二ロック部８に当接するように設けられている。
スライドプレート５には、巻き取り装置の外装部２外側に飛び出したスイッチ部５´、外装部２の片側に備え付けられた軸部１０を案内するための孔部１１、１２、前記フック部４´が当接する第一ロック部７、コード収納時に巻きバネの収納速度を減速させるために使用する第二ロック部８が備えられている。
【００１１】
次に、本発明のコード巻き取り装置付きイヤホンの動作を図面に基づいて説明する。
図３、図５に示すものは、イヤホンコードを引き出す時の状態を示したもので、図３（ａ）、図５（ａ）の状態から外装部２を手で押え、イヤホンコード１を引き出すことで、リール兼フック部４が回転する。この時、リール兼フック部４に設けられたフック部４´がスライドプレート５の第一ロック部７を押し上げながら回転することになる（図３（ｂ）、図５（ｂ）参照）。この際、常にイヤホンコード１が巻き戻る方向に巻きバネ６の力が掛かっているが、フック部４´がスライドプレート５の第一ロック部７に引っかかることで、イヤホンコード１が不用意に巻き戻ってしまうのを防ぐことができる。
なお、本実施例ではこのフック部４´を２箇所設けているが、１個所でも複数個所でもかまわない。
図４、図６に示すものは、イヤホンコードの収納時の状態を示したもので、先ず外装部２を手で押えながらスライドプレート５のスイッチ部５´を押し込む（スライドプレート５に設けられた孔部１１、１２により軸部１０が案内され、スムーズに動作する。）。すると、スライドプレート５が全体的に、下側にずれて第一ロック部７が下部へ移動し、リール兼フック部４に設けられたフック部４´のロックが外れる。すると、通常イヤホンコード１が巻きバネ６の戻ろうとする力で巻き戻り、コードの先端部が暴れてしまうが、本発明のコード巻き取り装置は、スライドプレート５の第二ロック部８がリール兼フック部４に設けられた周囲が８角形状であるカム部９に押し付けられ、リール兼フック部４の回転の抵抗となり、回転速度を遅くする。
なお、カム部９の形状は、本実施例では、８角形状のものを使用したが、他の多角形、楕円型やロータリー型等、第二ロック部８が押し付けられた際に抵抗となる形であれば種々採用できるものである。
そのままイヤホンコード１を巻き込み、動きが止まったところで、スライドプレート５を外装部２に設けた図中下側の軸部１０を支点にして横方向に回転させる（外装部２の上部に設けた軸部１０がスライドプレート５に設けられた孔部１１によって案内されるため、スムーズに動作する。）。
このことによって、スライドプレート５の第二ロック部８がリール兼ロック部４のカム部９から離れ、リール兼フック部４への抵抗がなくなり、余力を残した巻きバネ６が残りのイヤホンコード１を全て巻き込む。
巻き終えた後は、スライドプレート５のスイッチ部５´を離すと外装部２に設けた中心部の軸部１０を支点にして、スライドプレート５のバネ１３の弾性により、スライドプレート５を元のポジションに戻るため、スライドプレートの戻し忘れの心配がないものである。
【００１２】
次に、本願発明の巻き取り装置付きイヤホンと従来の巻き取り装置付きイヤホンの使用状態について比較する。
図８は、従来のコード巻き取り装置付きイヤホンの一例の使用状態を示したものであるが、巻き取り装置１４からイヤホンコード１´が伸びる場合（ダブル巻き取り型の巻き取り装置付きイヤホン等）巻き取り装置１４が使用者の胸元に位置してしまい、イヤホン使用時の邪魔になる。また、巻き取り装置自体の重みにより耳からイヤホン１７が外れやすくなってしまうという問題がある。
しかしながら、図７に示すように本願発明の巻き取り装置付きイヤホンは、シングル巻き取り型であり、しかも、イヤホン側のコードが伸びるため、巻き取り装置１５は音楽プレーヤー１６と共に鞄やポケットにしまうことができ、邪魔にならなく、巻き取り装置１５自体の重みはイヤホン１７に影響されないため、イヤホン１７は外れ難くなるという利点もある。
【産業上の利用可能性】
【００１３】
コードを巻き取る装置を取り付ける種々の機器にも利用することができる。
【符号の説明】
【００１４】
１・・・・イヤホンコード
１´・・・・イヤホンコード
２・・・・外装部
３・・・・基板
４・・・・リール兼フック部
４´・・・・フック部
５・・・・スライドプレート
５´・・・・スイッチ部
６・・・・巻きバネ
７・・・・第一ロック部
８・・・・第二ロック部
９・・・・カム部
１０・・・・軸部
１１・・・・孔部
１２・・・・孔部
１３・・・・バネ
１４・・・・巻き取り装置
１５・・・・巻き取り装置
１６・・・・音楽プレーヤー
１７・・・・イヤホン
【図１】
2014007526.tif 000003
【図２】
2014007526.tif 000004
【図３】
2014007526.tif 000005
【図４】
2014007526.tif 000006
【図５】
2014007526.tif 000007
【図６】
2014007526.tif 000008
【図７】
2014007526.tif 000009
【図８】
2014007526.tif 000010
【図９】
2014007526.tif 000011